(57)【要約】【課題】規格より薄いカード型光ディスクの記録情報を一般のディスクプレイヤーにおいて読み取らせることのができるアダプターを提供する。【解決手段】弾性を有する素材から作製され、直径１２ｃｍの真円輪郭形状を有する肉厚１．６ｍｍのアダプター本体１にカード型ＣＤが載置されるディスク受け凹部２が設けられている。ディスク受け凹部２の中央部にチャッキング用中心孔３が設けられている。ディスク受け凹部２の底壁厚さと該凹部２に載置されるディスクの厚さとの和が１．２ｍｍに設定されている。前記一対の対向内縁の前記チャッキング用中心孔３を挟む対向位置に、該対向内縁を出入り口としてディスクの対応側縁部が潜り込む一対の空所８、８が設けられ、ディスクの対応側縁部が該空所８に潜り込むことにより、ディスクのチャッキング用中心孔Ｄ０と凹部のチャッキング用中心孔３とが重ね合わされるものとなされている。【選択図】      図１
2005025876.tif 000002
【特許請求の範囲】
【請求項１】
弾性を有する素材から作製され、ディスクプレーヤー内において中心位置決めされる輪郭形状を有するアダプターであって、
アダプター本体に、上層に情報記録層を有する厚さ０．１ｍｍ〜１．１ｍｍのカード型光ディスクが載置される透明のディスク受け凹部が設けられ、
該ディスク受け凹部は、ディスクの一対の対向辺に対する１対の対向内縁を有すると共にチャッキング用中心孔を有し、
該ディスク受け凹部の底壁厚さと該凹部に載置される光ディスクの厚さとの和が１．２ｍｍに設定され、
前記一対の対向内縁の前記チャッキング用中心孔を挟む対向位置に、該対向内縁を出入り口として光ディスクの対応側縁部が潜り込む一対の空所が設けられ、光ディスクの対応側縁部が該空所に潜り込むことにより、ディスクのチャッキング用中心孔と凹部のチャッキング用中心孔とが重ね合わされるものとなされていることを特徴とするカード型光ディスク用アダプター。
【請求項２】
光ディスクの縁部が前記空所上下両壁間に挟み込まれるものとなされている請求項１に記載のカード型光ディスク用アダプター。
【請求項３】
前記空所上壁下面又は下壁上面にディスクの回転方向に突出高さが漸増する態様に形成されたディスク圧接用突部が設けられている請求項１又は請求項２のいずれかに記載のカード型光ディスク用アダプター。
【請求項４】
前記空所上壁は、その上面がアダプター本体上面と面一である請求項１ないし請求項３のいずれかに記載のカード型光ディスク用アダプター。
【請求項５】
前記アダプター本体は、一対の重量軽減用部を有する請求項１ないし請求項４のいずれかに記載のカード型光ディスク用アダプター。
【請求項６】
前記重量用軽減部は、密封された空洞部である請求項５に記載のカード型光ディスク用アダプター。
【請求項７】
弾性を有する素材から作製され、ディスクプレーヤー内において中心位置決めされる輪郭形状を有するアダプターであって、
アダプター本体に、上層に情報記録層を有する厚さ０．１〜０．５ｍｍのカード型光ディスクが載置される透明のディスク受け凹部が設けられ、
該ディスク受け凹部は、ディスクの一対の対向辺に対する１対の対向内縁を有すると共にチャッキング用中心孔を有し、
該ディスク受け凹部の底壁厚さと該凹部に載置される光ディスクの厚さとの和が０．６ｍｍに設定され、
前記一対の対向内縁の前記チャッキング用中心孔を挟む対向位置に、該対向内縁を出入り口として光ディスクの対応側縁部が潜り込む一対の空所が設けられ、光ディスクの対応側縁部が該空所に潜り込むことにより、ディスクのチャッキング用中心孔と凹部のチャッキング用中心孔とが重ね合わされるものとなされていることを特徴とするカード型光ディスク用アダプター。
【請求項８】
光ディスクの縁部が前記空所上下両壁間に挟み込まれるものとなされている請求項７に記載のカード型光ディスク用アダプター。
【請求項９】
前記空所上壁下面又は下壁上面にディスクの回転方向に突出高さが漸増する態様に形成されたディスク圧接用突部が設けられている請求項７又は請求項８のいずれかに記載のカード型光ディスク用アダプター。
【請求項１０】
前記空所上壁は、その上面がアダプター本体上面と面一である請求項７ないし請求項９のいずれかに記載のカード型光ディスク用アダプター。
【請求項１１】
前記アダプター本体は、一対の重量軽減用部を有する請求項７ないし請求項１０のいずれかに記載のカード型光ディスク用アダプター。
【請求項１２】
前記重量用軽減部は、密封された空洞部である請求項１１に記載のカード型光ディスク用アダプター。
【請求項１３】
弾性を有する素材から作製され、ディスクプレーヤー内において中心位置決めされる輪郭形状を有する円板状に形成されてなるアダプターであって、
透明合成樹脂基層下面から０．６ｍｍ又は１．２ｍｍの高さ位置に情報記録層を有するカード型光ディスクが載置されるディスク受け凹部を備え、
該ディスク受け凹部は、ディスクの一対の対向辺に対する１対の対向内縁を有すると共にディスクプレイヤーのチャッキング部材がディスクを直接チャッキングできるものとするチャッキング部材挿通孔を有し、
前記一対の対向内縁の前記チャッキング用孔を挟む対向位置に光ディスクの対応側縁部が潜り込む一対の空所が設けられ、光ディスクの対応側縁部が該空所に潜り込むことにより、ディスクのチャッキング用中心孔が前記チャッキング部材を受け入れる位置に位置合わせされるものとなされていることを特徴とするカード型光ディスク用アダプター。
【請求項１４】
光ディスクの縁部が前記空所上下両壁間に挟み込まれるものとなされている請求項１３に記載のカード型光ディスク用アダプター。
【請求項１５】
空所上壁下面又は下壁上面にディスクの回転方向に突出高さが漸増する態様に形成されたディスク圧接用突部が設けられている請求項１３又は請求項１４に記載のカード型光ディスク用アダプター。
【請求項１６】
前記空所上壁は、その上面がアダプター本体上面と面一である請求項１３ないし請求項１５のいずれかに記載のカード型光ディスク用アダプター。
【請求項１７】
前記アダプター本体は、一対の重量軽減用部を有する請求項１３ないし請求項１６のいずれかに記載のカード型光ディスク用アダプター。
【請求項１８】
前記重量用軽減部は、密封された空洞部である請求項１７に記載のカード型光ディスク用アダプター。
【発明の詳細な説明】
【０００１】
【発明の属する技術分野】
この発明は、カード型光ディスクのアダプター、特に通常の１．２ｍｍ厚のＣＤやＤＶＤより薄いカード型光ディスクを通常のディスクプレーヤにおいて読み取りあるいは書き込み可能にするカード型光ディスク用アダプターに関する。
【０００２】
なお、ここに言う「ディスクプレーヤ」とは、光ディスクの記録情報を読み取る装置はもとより、ＣＤ−Ｒ、ＤＶＤ−Ｒへの情報書き込み装置、さらには情報をコピーするコピー機をも含む意味で用いるものとする。
【０００３】
【従来の技術】
近時、規格サイズの直径１２ｃｍあるいは直径８ｃｍの真円形ＣＤとは異なり、長辺８５ｍｍ前後、短辺５４ｍｍ前後、厚さ１．２ｍｍのカード型ＣＤが情報記録媒体として用いられるようになってきている。このサイズであれば、本来はクレジットカードのように定期入れに入れて携帯しやすいが、厚さ１．２ｍｍはクレジットカードよりもかなり厚めであるから、財布等のクレジットカード収納部に入り切らないことがあるし、定期入れ等に複数枚を重ねて収納する場合には、いかにも嵩張ってしまうことになる。
【０００４】
もとより、クレジットカードと同じ厚さのカード型ＣＤを作製することは技術的に何の困難性もないが、通常のディスクプレイヤーでは該ＣＤの記録情報を読み取ることができない。光学的ピックアップの焦点が合わないからである。
【０００５】
そこで、特開２００２−２６９８４０号において提案されているアダプターを参考にして、直径１２ｃｍからなる真円形の本体の中央部にカード型ＣＤを強制的に嵌め込む凹部を設け、その凹部底面の厚さと前記ＣＤの厚さとの和を１．２ｍｍとするアダプターを作製し、該アダプターを用いることにより通常のディスクプレイヤーでも記録情報を読み取ることができるようになった。
【０００６】
【特許文献１】
特開２００２−２６９８４０号公報（第３頁、図４）
【０００７】
【発明が解決しようとする課題】
しかしながら、前記アダプターはＣＤが凹部に強制的に嵌め込まれているだけであるので、ディスクプレーヤー内で移送用トレーの走行中にあるいはチャッキング時にＣＤがアダプターから外れてしまうことがある。そして、ＣＤがアダプターから外れても、プレー後のチャッキングの解除時に、ＣＤが凹部内に再び嵌り込んでくることになれば何の問題がないが、そうでない場合、嵌り込まないＣＤがアダプターの上に乗っかってしまうと、ＣＤ及びアダプターをプレーヤーから取り出せなくなってしまうような事態が発生するおそれもある。
【０００８】
この発明は、このような事情に鑑みてなされてもので、規格より薄いカード型光ディスクの記録情報を一般のディスクプレイヤーにおいて読み取らせると共に、ディスクが不本意に脱落することなく、プレイヤーから取り出せなくなるような事態を防止することができるアダプターを提供することを目的とするものである。
【０００９】
【課題を解決するための手段】
上記目的を達成するために第１の発明は、弾性を有する素材から作製され、ディスクプレーヤー内において中心位置決めされる輪郭形状を有するアダプターであって、アダプター本体に、上層に情報記録層を有する厚さ０．１ｍｍ〜１．１ｍｍのカード型光ディスクが載置される透明のディスク受け凹部が設けられ、該ディスク受け凹部は、ディスクの一対の対向辺に対する１対の対向内縁を有すると共にチャッキング用中心孔を有し、該ディスク受け凹部の底面厚さと該凹部に載置される光ディスクの厚さとの和が１．２ｍｍに設定され、前記一対の対向内縁の前記チャッキング用中心孔を挟む対向位置に、該対向内縁を出入り口として光ディスクの対応側縁部が潜り込む一対の空所が設けられ、光ディスクの対応側縁部が該空所に潜り込むことにより、ディスクのチャッキング用中心孔と凹部のチャッキング用中心孔とが重ね合わされるものとなされていることを特徴とするカード型光ディスク用アダプター、を要旨とする。
【００１０】
この発明によれば、光ディスクの縁部が空所に潜り込むことにより、ディスクのチャッキング用中心孔と凹部のチャッキング用中心孔とが重ね合わされるものとなされているので、光ディスクとアダプターとがディスクプレーヤーのチャッキング部材により確実にチャッキングされる。
【００１１】
また、ディスク受け凹部の底面厚さと該凹部に載置される光ディスクの厚さとの和が１．２ｍｍに設定されているので、通常のＣＤより薄いカード型ＣＤ（  ）の記録情報を通常のディスクプレーヤーで読み取ることが可能となる。また、光ディスクの対応側縁部が潜り込む一対の空所の上下壁の間隔を約０．６ｍｍである場合は、厚さ約０．６ｍｍのカード型ＤＶＤをその情報記録層側を下にして凹部に載置し、反転させるとＤＶＤプレーヤーでの読み取りが可能となる。
【００１２】
光ディスクの縁部が前記空所上下両壁間に挟み込まれるものとなされていることが好ましい。光ディスクが、アダプターに保持され、不本意にアダプターから脱落することがないので、アダプターからの脱落により生じるおそれのあるトラブルを防止できるからである。。
【００１３】
空所の上壁下面又は底壁上面にディスクの回転方向に突出高さが漸増する態様に形成されたディスク圧接用突部が設けられていることが好ましい。ディスクがより一層確実にアダプターに保持されることになるからである。
【００１４】
前記空所上壁は、その上面がアダプター本体上面より突出されるように形成されることもあり得るが、その上面はアダプター本体上面と面一であることが好ましい。アダプター本体に突出部が存在すると、ディスクプレーヤー内における高速回転時に不快音が発生するおそれがあるからである。
【００１５】
前記アダプター本体は、一対の重量軽減用部を有することが好ましい。アダプター本体の肉厚を厚くした場合、直径１２ｃｍの真円形ディスクより全体の重量が増加し、デイスクプレーヤーの駆動モーターに過負荷を与えてしまうが、重量軽減用部を設けることにより、アダプターの重量と光ディスクの重量との和を、直径１２ｃｍの真円形ディスクの重量と等しくなるように調節できるからである。この重量軽減用部は、アダプター本体の上面又は下面に設けられた凹部であっても良いが、密封された空洞部であることが好ましい。アダプター本体表面に凹部が存在すると、ディスクプレーヤー内における高速回転時に不快音が発生するおそれがあるからである。
【００１６】
第２の発明は、弾性を有する素材から作製され、ディスクプレーヤー内において中心位置決めされる輪郭形状を有するアダプターであって、アダプター本体に、上層に情報記録層を有する厚さ０．１ｍｍ〜０．５ｍｍのカード型光ディスクが載置される透明のディスク受け凹部が設けられ、該ディスク受け凹部は、ディスクの一対の対向辺に対する１対の対向内縁を有すると共にチャッキング用中心孔を有し、該ディスク受け凹部の底壁厚さと該凹部に載置される光ディスクの厚さとの和が０．６ｍｍに設定され、前記一対の対向内縁の前記チャッキング用中心孔を挟む対向位置に、該対向内縁を出入り口として光ディスクの対応側縁部が潜り込む一対の空所が設けられ、光ディスクの対応側縁部が該空所に潜り込むことにより、ディスクのチャッキング用中心孔と凹部のチャッキング用中心孔とが重ね合わされるものとなされていることを特徴とするカード型光ディスク用アダプターを特徴とする。
【００１７】
この発明によれば、光ディスクの縁部が空所に潜り込むことにより、ディスクのチャッキング用中心孔と凹部のチャッキング用中心孔とが重ね合わされるものとなされているので、光ディスクとアダプターとがディスクプレーヤーのチャッキング部材により確実にチャッキングされる。
【００１８】
また、ディスク受け凹部の底面厚さと該凹部に載置される光ディスクの厚さとの和が０．６ｍｍに設定されているので、通常のＤＶＤより薄いカード型ＤＶＤＣＤの記録情報を通常のディスクプレーヤーで読み取ることが可能となる。
【００１９】
前記ディスク対応側縁部は、前記空所の上下両壁により挟み込まれるものとなされていることが好ましいことは、第１の発明と同様の理由による。
【００２０】
空所の上壁下面又は底壁上面にディスクの回転方向に突出高さが漸増する態様に形成されたディスク圧接用突部が設けられていることが好ましいことも、第１の発明と同様の理由による。
【００２１】
前記空所上壁の上面は、アダプター本体上面と面一であることが好ましいことも、第１の発明と同様の理由による。
【００２２】
前記アダプター本体は、一対の重量軽減用部を有することが好ましいことも、第１の発明と同様の理由による。
【００２３】
この重量軽減用部は、密封された空洞部であることが好ましいことも、第１の発明と同様の理由による。
【００２４】
第３の発明は、弾性を有する素材から作製され、ディスクプレーヤー内において中心位置決めされる輪郭形状を有する円板状に形成されてなるアダプターであって、透明合成樹脂基層下面から０．６ｍｍ又は１．２ｍｍの高さ位置に情報記録層を有するカード型光ディスクが載置されるディスク受け凹部を備え、該ディスク受け凹部は、ディスクの一対の対向辺に対する１対の対向内縁を有すると共にディスクプレイヤーのチャッキング部材がディスクを直接チャッキングできるものとするチャッキング部材挿通孔を有し、前記一対の対向内縁の前記チャッキング用孔を挟む対向位置に光ディスクの対応側縁部が潜り込む一対の空所が設けられ、光ディスクの対応側縁部が該空所に潜り込むことにより、ディスクのチャッキング用中心孔が前記チャッキング部材を受け入れる位置に位置合わせされるものとなされていることを特徴とするカード型光ディスク用アダプター、を要旨とする。
【００２５】
この発明によれば、光ディスクの縁部が空所に潜り込むことにより、ディスクのチャッキング用中心孔が前記チャッキング部材を受け入れる位置に位置合わせされるものとなされると共に、ディスク受け凹部にチャッキング部材がディスクを直接チャッキングできるものとするチャッキング部材挿通孔を有しているので、光ディスクがディスクプレーヤーのチャッキング部材により直接にチャッキングされ、光ディスクの記録情報をＣＤ方式又はＤＶＤ方式のディスクプレーヤーで読み取ることが可能となる。
【００２６】
前記ディスク対応側縁部は、前記空所の上下両壁により挟み込まれるものとなされていることが好ましいことは、第１の発明と同様の理由による。
【００２７】
空所の上壁下面又は底壁上面にディスクの回転方向に突出高さが漸増する態様に形成されたディスク圧接用突部が設けられていることが好ましいことも、第１の発明と同様の理由による。
【００２８】
前記空所上壁の上面は、アダプター本体上面と面一であることが好ましいことも、第１の発明と同様の理由による。
【００２９】
前記アダプター本体は、一対の重量軽減用部を有することが好ましいことも、第１の発明と同様の理由による。
【００３０】
この重量軽減用部は、密封された空洞部であることが好ましいことも、第１の発明と同様の理由による。
【００３１】
【発明の実施の形態】
以下、本願の第１発明ないし第３発明を図示実施形態に基づいて説明する。
【００３２】
図１〜７は、第１の発明の一実施形態のカード型光ディスク用アダプター（Ａ１）を示すもので、弾性を有する透明の合成樹脂から作製されるアダプター本体（１）は、ディスクプレーヤー内において中心位置決めされる直径１２ｃｍの真円形輪郭形状を有し、その厚さが１．６ｍｍに設定されると共に、中央部にカード型ＣＤ（Ｄ１）が嵌め込み載置されるディスク受け凹部（２）が設けられている。このアダプター（Ａ１）は、図５に示すように中央部にチャッキング用中心孔（Ｄ０）を有するカード型ＣＤ（Ｄ１）に用いられるものである。このカード型ＣＤ（Ｄ１）は、厚さ０．８ｍｍに設定され、上層に情報記録層が設けられている。
【００３３】
前記ディスク受け凹部（２）は、図１及び図４等に示すように、その中央にアダプター本体（１）と同心円のチャッキング用中心孔（３）が設けられると共に、底面の厚さが０．４ｍｍに設定されている。またディスク受け凹部（２）は、その底面上に載置されるディスク（Ｄ１）に単純に対応する内縁を有するものではなく、ディスク（Ｄ１）の一対の対向長辺に対しては、ディスク（Ｄ１）がディスク受け凹部（２）に最初に載置された際にディスク長辺と平行状となる第１内縁部（４）と、ディスク長辺と斜状となる第２内縁部（５）とを有する一方、ディスク（Ｄ１）の一対の対向短辺に対しても、同様に平行状となる第３内縁部（６）及び斜状となる第４内縁部（７）とを有している。第１〜第３内縁部（  ４）（５）（６）は直線状に形成され、第４内縁部（７）は、直線状に形成された直線部（７ａ）と円弧状に形成された円弧状部（７ｂ）とを有している。
【００３４】
前記第１内縁部（４）には、該縁部を出入り口とする空所（８）が設けられ、時計方向回りに水平に回転されたディスク（Ｄ１）の対応縁部が潜り込むものとなされている。該空所（８）については後に詳細な説明が行われる。
【００３５】
前記第１内縁部（４）と第２内縁部（５）とは、ディスク受け凹部（２）内においてディスク（Ｄ１）を時計回りに回転させる途上において、第１内縁部（４）がディスク長辺と離間する一方、第２内縁部（５）はディスク長辺と平行状となり、ディスク対応縁部が空所（８）に潜り込んだ際には、ディスク長辺と交差するようになる位置関係に置かれている。
【００３６】
第３内縁部（６）と第４内縁部（７）との位置関係は、ディスク受け凹部（２）内においてディスク（Ｄ１）を時計回りに回転させる途上において、第３内縁部（６）がディスク長辺と離間する一方、第４内縁部（７）の直線部（７ａ）は、ディスク短辺に相対的に接近し、ディスク対応縁部が前記空所（８）に潜り込んだ際には、ディスク長辺と平行状となって当接するような位置関係に置かれている。第４内縁部（７）の円弧状部（７ｂ）は、ディスク回転時にディスク（Ｄ１）のコーナー部が摺動することになる。また、この円弧状部（７ｂ）の一つには、チャッキング用中心孔（３）に向かって突出するロック用突部（９）が突設され、ディスク（Ｄ１）のコーナー部が該ロック用突部（９）を越えることにより、所定位置に保持されたり、その保持が解除されたりすることになる。
【００３７】
前記空所（８）は、前記第２内縁部（５）からアダプター本体内部をくり抜くようにして設けられているもので、内壁は操作回転時にディスクコーナー部が摺動する円弧状内壁部（８ｃ）と、該空所（８）に潜り込んだディスク（Ｄ１）の長辺が当接する直線状内壁部（８ｄ）とを有している。また、空所上壁（８ａ）の内面は、図２に示すようにディスクの操作回転方向に突出高さが漸増する態様に形成されたディスク圧接用突部（１０）が設けられている。（８ｂ）は空所底壁である。この空所底壁（８ｂ）と上壁（８ａ）との間隔は０．８ｍｍに設定され、その間隔よりも僅かに薄い約０．８ｍｍの肉厚のカード型ＣＤ（Ｄ１）の一部が潜り込むことになるのである。
【００３８】
アダプター本体（１）は、図４に示すように、チャッキング用中心孔（３）を有する直径１２ｃｍの円板状の下半体（１ｂ）と、直径１２ｃｍの真円形輪郭形状を有する上半体（１ａ）とが貼り合わされてなるものである。上半体（１ａ）の肉厚は１．２ｍｍ、下半体（１ｂ）の肉厚は０．４ｍｍに設定されている。
【００３９】
上半体（１ａ）は、その中央部をくり抜くことによりディスク受け凹部（２）の第１〜第４内縁部（４）（５）（６）（７）が形成されると共に第２内縁部（５）の近傍を薄くすることにより空所（８）の上壁（８ａ）及び円弧状奧壁部（８ｃ）及び直線状奧壁部（８ｄ）とが形成されている。
【００４０】
また、上半体（１ａ）のディスク受け凹部第１内縁部（４）及び第２内縁部（５）の外方部位に一対の重量軽減用凹部（１３）（１３）が点対称的に設けられている。この凹部（１３）（１３）は、下半体（１ｂ）によって塞がれることにより重量軽減用空洞部（１４）（１４）を構成することになる。この重量軽減用空洞部（１４）（１４）を備えることにより、アダプター（Ａ１）の重量とカード型ＣＤ（Ｄ１）の重量との和が、直径１２ｃｍの真円形ＣＤのと重量と略々等しくなっている。
【００４１】
このアダプター（Ａ１）に、カード型ＣＤ（Ｄ１）を装着する手順について説明すると、先ず最初に、図４に示すようにカード型ＣＤ（Ｄ１）をディスク受け凹部（２）の底面上に載置する。その後、カード型ＣＤ（Ｄ１）を時計回り方向に回転させながら、空所（８）（８）に臨んでいるカード型ＣＤ（Ｄ１）の長辺部を空所（８）（８）内に潜り込ませ始める。その回転させる途上において、ロック用突部（９）が突設された前記第４内縁部円弧状部（７ｂ）に対応するカード型ＣＤ（Ｄ１）のコーナー部（Ｄｃ）は当初はロック用突部（９）の抵抗を受けることになる。
【００４２】
その抵抗に抗してカード型ＣＤ（Ｄ１）を更に時計方向回りに回転させると、図５に示すように、コーナ部（Ｄｃ）がロック用突部（９）を乗り越え、空所（８）（８）内に潜り込んだ長辺部の一部が空所（８）（８）の直線状奧壁部（８ｄ）に当接し、かつディスク圧接用突部（１０）を介して上壁（８ａ）と底壁（８ｂ）との間に挟み込まれることになる。
【００４３】
この状態が、カード型ＣＤ（Ｄ１）が  アダプター（Ａ１）に装着された状態である。
【００４４】
而して、このカード型光ディスク用アダプター（Ａ１）に装着されたカード型ＣＤ（Ｄ１）を、ディスクプレーヤ内においてチャッキングさせようとすると、図７に示すように、チャッキング部材（Ｃ）がアダプター（Ａ１）のチャッキング用中心孔（３）及びカード型ＣＤ（Ｄ１）のチャッキング用中心孔（Ｄ０）を貫通する。そして、カード型ＣＤ（Ｄ１）及びアダプター（Ａ１）のディスク受け凹部（２）底壁とが合一的にチャッキングされる。カード型ＣＤ（Ｄ１）の厚さとディスク受け凹部（２）底壁の厚さとの和が１．２ｍｍに設定されているので、通常のＣＤより薄いカード型ＣＤ（Ｄ１）の記録情報を通常のディスクプレーヤーで読み取ることが可能となる。図７中、（８３）はディスクターンテーブル、（８４）はディスクチャック、（８６）は係止爪、（８８）は駆動用モータである。
【００４５】
また、カード型ＣＤ（Ｄ１）は、その一対の長辺部の一部がアダプター（Ａ１）の空所に挟み込まれており、アダプター（Ａ１）から抜脱するおそれがないので、プレーヤ内での回転時はもとより、プレーヤーからの出し入れ時にもトラブルが生じることがない。
【００４６】
さらに、このカード型光ディスク用アダプター（Ａ１）は、重量軽減用密封空洞部（１４）が設けられ、アダプター（Ａ１）の重量とカード型ＣＤ（Ｄ１）の重量との和が、直径１２ｃｍの真円形ＣＤのと重量と略々等しくなるものと設定されているので、ディスクプレーヤーの駆動モーターに過負荷が掛かることがない。
【００４７】
図８ないし図１４は、第１の発明の他の実施形態のカード型光ディスク用アダプター（Ａ２）を示すものである。このアダプター（Ａ２）は、図１３に示すように、チャッキング用中心孔（Ｄ０）が中央部から偏位した位置に設けられているカード型ＣＤ（Ｄ２）用のアダプターである。このカード型ＣＤ（Ｄ２）は、ＩＣカードを兼用するものであり、ＩＣカードに特有のチップやバーコードが所定位置を専有しているので、それらを避けるために、必然的にチャッキング用中心孔（Ｄ０）が長方形の中央部から偏位した位置に設けられることになるのである。
【００４８】
そのために、このアダプター（Ａ２）のディスク受け凹部（２２）は、前記カード型ＣＤ（Ｄ２）に対応して、アダプター本体（２１）の中央より偏位した位置に設けられているのである。すなわち、アダプターとしてのチャッキング用中心孔（２３）が、直径１２ｃｍの真円形の中央部に存在することは、先の実施形態のアダプター（Ａ１）と同じであるが、ディスク受け凹部（２２）全体が直径方向にアダプター外縁に近づくように偏位されているのである。
【００４９】
アダプター本体（２１）が、弾性を有する透明の合成樹脂から作製され、直径１２ｃｍの真円輪郭形状を有し、その厚さが１．６ｍｍに設定されていることは先の実施形態のアダプター（Ａ１）と同様である。
【００５０】
前記ディスク受け凹部（２２）は、図８及び図１４等に示すように、ディスク受け凹部（２２）の中央部からは偏位した位置ではあるが、アダプター本体（２１）の中央部に位置するチャッキング用中心孔（２３）が設けられると共に、底面の厚さが０．４ｍｍに設定されている。
【００５１】
また、ディスク受け凹部（２２）は、ディスク（Ｄ２）の一対の対向長辺に対しては、ディスク（Ｄ２）がディスク受け凹部（２２）に載置された際にディスク長辺と平行状となる第１内縁部（２４）と、ディスク長辺と斜状となる第２内縁部（２５）とを有する一方、ディスク（Ｄ２）の短辺に対しては、先の実施形態のアダプター（Ａ１）のディスク受け凹部（２）とは異なり、ディスク（Ｄ２）がディスク受け凹部（２２）に載置されるために、ディスク（Ｄ２）の一短辺が必ず潜り込まなければならない空所（３２）を有し、該空所（３２）は、円弧状内縁部（３１）をその出入り口としている。この空所（３２）は、ディスク（Ｄ２）の保持機能はもとより、上壁（３２ａ）によるアダプター補強機能を求めて設けられたものである。すなわち、このアダプター（Ａ２）においては、ディスク受け凹部（２２）の一端がディスク本体（２１）外縁に接近した位置にあり、その近傍が捻れや衝撃により破損しやすくなっているために、空所上壁（３２ａ）が存在することにより実質的に補強されているのである。この空所（３２）の奧壁は、ディスク（Ｄ２）の短辺部が前記空所（３２）に潜り込まされた際に、平行状となる第１奧壁（３２ｃ）と斜状となる第２奧壁（３２ｄ）とを有し、該奧壁は、後述の第３内縁部（２６）及び第４内縁部（２７）と点対称的な位置関係にある。
【００５２】
該円弧状内縁部（３１）に対向して、最初にディスク（Ｄ２）の短辺部が前記空所（３２）に潜り込まされた際に、ディスク（Ｄ２）の他方の短辺に対して、平行状となる第３内縁部（２６）及び斜状となる第４内縁部（２７）とを有している。第４内縁部（２７）は、直線状に形成された直線部（２７ａ）と円弧状に形成された円弧状部（２７ｂ）とを有している。
【００５３】
前記第１内縁部（２４）には、該縁部（２４）を出入り口とし前記短辺がわ端部が潜り込む空所（３２）と連通する空所（２８）が設けられ、水平に回転されたディスク（Ｄ２）の対応縁部が潜り込むものとなされている。該空所（２８）については、後に詳細な説明を行う。
【００５４】
前記第１内縁部（２４）と第２内縁部（２５）とは、ディスク受け凹部（２２）内においてディスク（Ｄ２）を時計回りに回転させる途上において、第１内縁部（２４）がディスク長辺と離間する一方、第２内縁部（２５）はディスク長辺と平行状となり、ディスク対応縁部が空所（２８）に潜り込んだ際には、ディスク長辺と交差するようになる位置関係に置かれている。
【００５５】
第３内縁部（２６）と第４内縁部（２７）との位置関係は、ディスク受け凹部（２２）内においてディスク（Ｄ２）を時計回りに回転させる途上において、第３内縁部（２６）がディスク長辺と離間する一方、第４内縁部（２７）の直線部は、ディスク短辺に相対的に接近し、ディスク対応縁部が前記空所（３２）に潜り込んだ際には、ディスク長辺と平行状となって当接するような位置関係に置かれている。第４内縁部（２７）の円弧状部（２７ｂ）は、ディスク回転操作時にディスク（Ｄ２）のコーナー部が摺動することになる。
【００５６】
前記空所（２８）は、前記第２内縁部（２５）からアダプター本体内部をくり抜くようにして設けられているもので、前記短辺がわの空所（３２）に連通している。その内壁は回転操作時にディスクコーナー部が摺動する円弧状奧壁部（２８ｃ）と、該空所に潜り込んだディスク（Ｄ２）の長辺が当接する直線状奧壁部（２８ｄ）とを有している。
【００５７】
また、空所上壁（２８ａ）の内面は、図９に示すようにディスクの回転操作方向に突出高さが漸増する態様に形成されたディスク圧接用突部（３０）が設けられている。（２８ｂ）は空所底壁である。この空所底壁（２８ｂ）と上壁（２８ａ）との間隔は約０．９ｍｍに設定され、その間隔よりも僅かに薄い０．９ｍｍの肉厚のカード型ＣＤ（Ｄ２）の一部が潜り込むことになるのである。
【００５８】
アダプター本体（２１）は、図１２に示すように、チャッキング用中心孔（Ｄ０）を有する直径１２ｃｍの円板状の下半体（２１ｂ）と、直径１２ｃｍの真円形輪郭形状を有する上半体（２１ａ）とが貼り合わされてなるものである。上半体（２１ａ）の肉厚は１．２ｍｍ、下半体（２１ｂ）の肉厚は０．４ｍｍに設定されている。
【００５９】
上半体（２１ａ）は、その中央部をくり抜くことによりディスク受け凹部（２）の第１〜第４内縁部（２４）（２５）（２６）（２７）及び円弧状内縁部（３１）が形成されると共に円弧状内縁部（３１）の近傍を薄くすることにより空所（３２）の上壁（３２ａ）、前記奧壁（３２ｃ）及び（３２ｄ）が形成されている。
【００６０】
また、上半体（２１ａ）のディスク受け凹部第１〜第２内縁部（２４）（２５）の外方部位に一対の重量軽減用凹部（３３）（３３）が点対称的に設けられている。この凹部（３３）は、下半体（２１ｂ）によって塞がれることにより重量軽減用空洞部（３４）を構成することになる。この重量軽減用密封空洞部（３４）を備えることにより、アダプター（Ａ２）の重量とカード型ＣＤ（Ｄ２）の重量との和が、直径１２ｃｍの真円形ＣＤのと重量と略々等しくなっている。
【００６１】
このアダプター（Ａ２）に、カード型ＣＤ（Ｄ２）を装着する手順について説明すると、先ず最初に、図１３に示すようにカード型ＣＤ（Ｄ２）のチャッキング用孔（Ｄ０）より遠い方にある一短辺を円弧状内縁部（３１）から空所（３２）に潜り込ませるようにして、カード型ＣＤ（Ｄ２）をディスク受け凹部（２２）の底面上に載置する。その後、先の実施形態のアダプター（Ａ１）と同様に、カード型ＣＤ（Ｄ２）を時計回り方向に回転させながら、空所（２８）（２８）に臨んでいるカード型ＣＤ（Ｄ２）の長辺部を空所（２８）（２８）内に潜り込ませる。この潜り込みにより、長辺部の一部が、空所（２８）（２８）の直線状奧壁部（２８ｄ）に当接し、かつディスク圧接用突部（３０）を介して上壁（２８ａ）と底壁（２８ｂ）との間に挟み込まれることになる。
【００６２】
而して、このカード型光ディスク用アダプター（Ａ２）に装着されたカード型ＣＤ（Ｄ２）は、その記録情報が通常のディスクプレーヤーで読み取られることは、先の実施形態と同様の理由によるので、説明は省略する。
【００６３】
ディスクプレーヤ内での回転時はもとより、プレーヤーからの出し入れ時にもトラブルが生じることがないこと、ディスクプレーヤーの駆動モーターに過負荷を掛けることがないことも同様の理由によるものである。
【００６４】
上記実施形態においては、カード型ＣＤを装着するものとして説明したが、規格厚さの１．２ｍｍより薄い厚さ０．８ｍｍであって透明合成樹脂基層下面から０．６ｍｍの高さ位置に情報記録層を有するカード型ＤＶＤの装着も可能である。この場合、このようなカード型ＤＶＤは、その透明合成樹脂基層下面をディスク受け凹部に重ね合わせるように載置するのではなく、情報記録層側の面をディスク受け凹部に重ね合わせるようにして載置することになる。
【００６５】
第２の発明は、上層に情報記録層を有する厚さ０．１ｍｍ〜０．５ｍｍのカード型ＤＶＤ用アダプターであって、上記第１発明の実施形態のアダプター（Ａ１）（Ａ２）におけるディスク受け凹部（２）（２２）の肉厚及び空所（８）（２８）の上下壁間の間隔を、厚さ０．１ｍｍ〜０．５ｍｍのカード型ＤＶＤに対応するものと設計変更することにより実現されるものであるので、詳細な説明を省略する。
【００６６】
図１５〜図２１は、第３の発明に係るカード型光ディスク用アダプターの実施形態を示すもので、このアダプター（Ａ３）（Ａ４）は、厚さ０．６ｍｍのＤＶＤ形式の光ディスク（Ｄ３）（Ｄ４）のアダプターとして用いられるものである。このＤＶＤ形式の光ディスク（Ｄ３）（Ｄ４）は、透明合成樹脂基層の下面から約０．６ｍｍの高さ位置、すなわち、上層に情報記録層が設けられているものである。
【００６７】
図１５〜図１８に示されるアダプター（Ａ３）は、第１の発明に係る最初の実施形態のカード型光ディスク用アダプター（Ａ１）に対応し、図１９〜図２２に示されるアダプター（Ａ４）は、第１の発明に係る他の実施形態のカード型光ディスク用アダプター（Ａ２）に対応するもので、第１の発明に係るアダプター（Ａ１）（Ａ２）との相異は、ディスク受け凹部（２）（２２）に、ディスクのチャッキング用中心孔より大きいチャッキング部材貫通孔（４３）が設けられていること、空所の上壁（８ａ）（２８ａ）下面と底壁（８ｂ）（２８ｂ）上面との間隔が厚さ０．６ｍｍのＤＶＤ形式の光ディスクを挟み込みうる間隔に設定されていることにある。その他の構成は、第１の発明に係る実施形態のカード型光ディスク用アダプター（Ａ１）（Ａ２）と機能的に同一であるので、各図において同じ部位には同じ符号が付されている。
【００６８】
従って、このアダプター（Ａ３）（Ａ４）に所定の光ディスク（Ｄ３）（Ｄ４）を装着する操作も、第１の発明に係る実施形態のカード型光ディスク用アダプター（Ａ１）（Ａ２）に所定のディスク（Ｄ１）（Ｄ２）を装着する操作と同様であるので、その説明は省略する。
【００６９】
而して、このアダプター（Ａ３）（Ａ４）に装着された光ディスク（Ｄ３）（Ｄ４）をディスクプレーヤ内においてチャッキングさせようとすると、図１８に示すようにアダプター（Ａ３）（Ａ４）のチャッキング部材貫通孔（４３）を貫通したチャッキング部材（Ｃ）は、ディスク（Ｄ３）（Ｄ４）のチャッキング用中心孔を貫通してディスク（Ｄ３）（Ｄ４）のみをチャッキングすることになる。このチャッキングにより、肉厚０．６ｍｍのＤＶＤ形式の光ディスク（Ｄ３）（Ｄ４）の記録情報が通常のＤＶＤ形式のディスクプレーヤにおいて読み取り可能となるのである。
【００７０】
また、ディスクプレーヤ内での回転時はもとより、ディスクプレーヤからの出し入れ時にもトラブルが生じることがないこと、ディスクプレーヤの駆動モーターに過負荷を掛けることがないことも第１の発明に係る実施形態のディスクプレーヤと同様である。
【００７１】
上記実施形態においては、光ディスクをカード型ＤＶＤとして示したが、この第３の発明は、透明合成樹脂基層下面から１．２ｍｍの高さ位置に情報記録層を備えたカード型ＣＤ用アダプターとすることもできる。すなわち、空所の上下壁間の間隔を厚さ１．２ｍｍのカード型ＣＤの端部が潜り込める間隔に設定することにより、厚さ１．２ｍｍのカード型ＣＤ用アダプターとすることができる。情報記録層を含む領域の厚さが１．２ｍｍであるが、その周縁の厚さが１．２ｍｍより薄いカード型ＣＤに対しては、空所の上下壁間の間隔を前記周縁厚さに対応するものとしておけば良い。
【００７２】
【発明の効果】
上述の次第で、第１の発明は、光ディスクの縁部が空所に潜り込むことにより、ディスクのチャッキング用中心孔と凹部のチャッキング用中心孔とが重ね合わされるものとなされているので、光ディスクとアダプターとがディスクプレーヤーのチャッキング部材により確実にチャッキングされる。
【００７３】
また、ディスク受け凹部の底面厚さと該凹部に載置される光ディスクの厚さとの和が１．２ｍｍに設定されているので、通常のＣＤより薄いカード型ＣＤ（  ）の記録情報の通常のディスクプレーヤーでの読み取り、ＣＤ−Ｒへの書き込みが可能となる。
【００７４】
光ディスクの縁部が前記空所上下両壁間に挟み込まれるものとなされている場合には、光ディスクが、アダプターに保持され、不本意にアダプターから脱落することがないので、アダプターからの脱落により生じるおそれのあるトラブルを防止できる。
【００７５】
空所の上壁下面又は底壁上面にディスクの回転方向に突出高さが漸増する態様に形成されたディスク圧接用突部が設けられている場合には、ディスクがより一層確実にアダプターに保持されることになる。
【００７６】
前記空所上壁の上面は、アダプター本体上面と面一である場合には、ディスクプレーヤー内における高速回転時に不快音が発生するおそれがあるからである。
【００７７】
前記アダプター本体に一対の重量軽減用部が設けられている場合には、アダプターの重量と光ディスクの重量との和を、直径１２ｃｍの真円形ディスクの重量と等しくなるように調節でき、ディスクプレーヤーの駆動モーターに過負荷を与えることがない。
【００７８】
第２の発明は、第１の発明と同様に、光ディスクとアダプターとがディスクプレーヤーのチャッキング部材により確実にチャッキングされることはもとより、ディスク受け凹部の底面厚さと該凹部に載置される光ディスクの厚さとの和が０．６ｍｍに設定されているので、通常のＤＶＤより薄いカード型ＤＶＤの記録情報の通常のディスクプレーヤーでの読み取り、ＤＶＤ−Ｒ等への書き込みが可能となる。その他の効果も第１の発明とほぼ同様である。
【００７９】
第３の発明は、光ディスクの縁部が空所に潜り込むことにより、ディスクのチャッキング用中心孔が前記チャッキング部材を受け入れる位置に位置合わせされるものとなされているので、光ディスクがディスクプレーヤーのチャッキング部材により確実にチャッキングされると共に、厚さ０．６ｍｍの光ディスクの記録情報のＤＶＤ方式のディスクプレーヤーでの読み取り、同光ディスクへの情報書き込みが可能となる。
【００８０】
光ディスクの縁部が前記空所上下両壁間に挟み込まれるものとなされている場合には、光ディスクが、アダプターに保持され、不本意にアダプターから脱落することがないので、アダプターからの脱落により生じるおそれのあるトラブルを防止できる。
【００８１】
空所の上壁下面又は底壁上面にディスクの回転方向に突出高さが漸増する態様に形成されたディスク圧接用突部が設けられている場合には、ディスクがより一層確実にアダプターに保持されることになる。
【００８２】
前記アダプター本体に一対の重量軽減用部が設けられている場合には、アダプターの重量と光ディスクの重量との和を、直径１２ｃｍの真円形ディスクの重量と等しくなるように調節でき、ディスクプレーヤーの駆動モーターに過負荷を与えることがない。
【図面の簡単な説明】
【図１】第１の発明に係るカード型光ディスク用アダプターの一実施形態の平面図である。
【図２】図１のＩ−Ｉ線断面図である。
【図３】図２のＩＩ−ＩＩ線断面図である。
【図４】同実施形態のカード型光ディスク用アダプターの分解状態の斜視図である。
【図５】同実施形態のカード型光ディスク用アダプターのディスク受け用凹部に所定のカード型ＣＤを載置した状態の平面図である。
【図６】図５のカード型ＣＤを回転させてアダプターに装着した状態の平面図である。
【図７】図６のアダプターに装着されたカード型ＣＤのディスクプレーヤー内でのチャッキング時の要部拡大端面図である。
【図８】第１の発明に係るカード型光ディスク用アダプターの他の実施形態の平面図である。
【図９】図７のＩＩＩ−ＩＩＩ線断面図である。
【図１０】図７のＩＶ−ＩＶ線断面図である。
【図１１】図７のＶ−Ｖ線断面図である。
【図１２】同実施形態のカード型光ディスク用アダプターの分解状態の斜視図である。
【図１３】同実施形態のカード型光ディスク用アダプターのディスク受け凹部に所定のカード型ＣＤを載置した状態の平面図である。
【図１４】図１３のカード型ＣＤを回転させてアダプターに装着した状態の平面図である。
【図１５】第２の発明に係るカード型光ディスク用アダプターの一実施形態の平面図である。
【図１６】図１５のＸＩ−ＸＩ線断面図である。
【図１７】図１５のＸＩＩ−ＸＩＩ線断面図である。
【図１８】図１５のアダプターに装着されたカード型ＣＤのディスクプレーヤー内でのチャッキング時の要部拡大端面図である。
【図１９】第２の発明に係るカード型光ディスク用アダプターの他の実施形態の平面図である。
【図２０】図１９のＸＩＩＩ−ＸＩＩＩ線断面図である。
【図２１】図１９のＸＩＶ−ＸＩＶ線断面図である。
【図２２】図１９のＸＶ−ＸＶ線断面図である。
【符号の説明】
Ａ１、Ａ２、Ａ３、Ａ４…カード型光ディスク用アダプター
Ｄ１、Ｄ２、Ｄ３、Ｄ４…カード型光ディスク
１…アダプター本体
２…ディスク受け凹部
３、２３…チャッキング用中心孔
８、２８…空所
１０…ディスク圧接用突部
１４…重量軽減用空洞部
【図１】
2005025876.tif 000003
【図２】
2005025876.tif 000004
【図３】
2005025876.tif 000005
【図４】
2005025876.tif 000006
【図５】
2005025876.tif 000007
【図６】
2005025876.tif 000008
【図７】
2005025876.tif 000009
【図８】
2005025876.tif 000010
【図９】
2005025876.tif 000011
【図１０】
2005025876.tif 000012
【図１１】
2005025876.tif 000013
【図１２】
2005025876.tif 000014
【図１３】
2005025876.tif 000015
【図１４】
2005025876.tif 000016
【図１５】
2005025876.tif 000017
【図１６】
2005025876.tif 000018
【図１７】
2005025876.tif 000019
【図１８】
2005025876.tif 000020
【図１９】
2005025876.tif 000021
【図２０】
2005025876.tif 000022
【図２１】
2005025876.tif 000023
【図２２】
2005025876.tif 000024